(57)【要約】【課題】  ペットの視覚を十分に確保した状態で、頭部を含む体全体を安定した状態で保持してペットをリラックスさせることができ、局所的な圧迫感をなくし、伏臥状態のペットが不用意に保持台からズレ落ちることを防止することのできるペット用姿勢保持台の提供をする。【解決手段】  ペットの胴部が載置可能な胴部載置部２と、前記胴部載置部２の前方に配置される頭部載置部３と、前記胴部載置部の後方に配置される臀部載置部４とで姿勢保持主体１ａが構成され、前記胴部載置部２の左右の端部には、伏臥状態のペットの胴部が位置ズレすることを防止するストッパー部２ａ，２ｂがそれぞれ配置されている。【選択図】  図１
2018121656.tif 000002
【特許請求の範囲】
【請求項１】
ペットの胴部が載置可能な胴部載置部と、前記胴部載置部の前方に配置される頭部載置部と、前記胴部載置部の後方に配置される臀部載置部とで姿勢保持主体が構成され、
前記胴部載置部は、
左右の端部に、それぞれ側壁を形成して、伏臥状態のペットの胴部が位置ズレすることを防止するストッパがそれぞれ分離可能に配置されていること
を特徴とするペット用姿勢保持台。
【請求項２】
前記側壁は、
その頂部が前記頭部載置部の頂部よりも高くなるよう形成されていること
を特徴とする請求項１に記載のペット用姿勢保持台。
【請求項３】
前記側壁は、
前記胴部載置部の左右の端部に、左右方向に突出するよう形成されていること
を特徴とする請求項１又は２に記載のペット用姿勢保持台。
【請求項４】
前記姿勢保持主体は、
前記頭部載置部、胴部載置部および臀部載置部が一体的に形成されており、
前記ストッパは、
雌雄の面ファスナによって一体化させるものであること
を特徴とする請求項１〜３のいずれかに記載のペット用姿勢保持台。
【請求項５】
前記姿勢保持主体は、
その頭部載置部が、ペットの頭部を胴部より上方に位置するよう構成されていること
を特徴とする請求項１〜４のいずれかに記載のペット用姿勢保持台。
【請求項６】
前記頭部載置部、胴部載置部および臀部載置部は、
弾性を有する合成樹脂材および／または内部にビーズが充填された袋状のカバー主体からなること
を特徴とする請求項１〜５のいずれかに記載のペット用姿勢保持台。
【請求項７】
前記姿勢保持主体は、
前後および／または左右の方向に可動自在であること
を特徴とする請求項１〜３又は５のいずれかに記載のペット用姿勢保持台。
【請求項８】
前記姿勢保持主体は、
高さ調整が可能に構成されていること
を特徴とする請求項１〜３、５又は７のいずれかに記載のペット用姿勢保持台。
【請求項９】
胴部が左右に位置ズレすることを防止するストッパが設けられた胴部載置部と、前記胴部載置部の前部側に配置される頭部載置部と、前記胴部載置部の後部側に配置される臀部配置部とで構成された姿勢保持主体と、
前記姿勢保持主体に着脱自在のカバー部材と、
前記姿勢保持主体を保持する受け部材とからなり、
前記ストッパは、前記胴部載置部の左右の端部に、それぞれ側壁を分離可能に形成することによって、構成されていること
を特徴とするペット用姿勢保持台。
【請求項１０】
前記姿勢保持主体は、
洗濯可能な取替えカバー部材で被覆されていること
を特徴とする請求項１〜９のいずれかに記載のペット用姿勢保持台。
【請求項１１】
前記受け部材は、
高さ調節機能を有するものであること
を特徴とする請求項９に記載のペット用姿勢保持台。
【発明の詳細な説明】
【技術分野】
【０００１】
この発明は、犬や猫などのペットを一定の姿勢に保持させることのできるペット用姿勢保持台に関するものである。
より具体的には、老齢あるいは怪我などしているペットを、視界を保持しながら休息状態を保持させ、もしくは歩行活動などをさせることのできるペット用姿勢保持台に関するものである。
【背景技術】
【０００２】
老齢で、あるいは傷病状態などで歩行活動などができないペットの介護に際して、床ずれを防止するペット用マットして、例えば、特許第３９８３７６９号公報（特許文献１）がある。
この特許文献１に記載のペット用マットは、カバー部材内部にクッション材が充填されたマットを中央部で左右に二分割し、分割された左右のマット部材を分割部でＶ字状に保持できるよう構成し、当該Ｖ字状部にペットの重みが作用すると、前記分割部を中心に左右のマット部材の端縁部が持ち上がり、ペットの両側部を支えるようにしたものである。
【０００３】
一方、実用新案登録第３１３２４２６号公報（特許文献２）では、枕本体の長手方向の一側縁の一点からから他側縁の相対する一点に向けて凹入部を形成し、この凹入部の周縁をペット頭部の載置領域とすることで、ペットの頭部の滑りや、寝返りに際してペットが仰向けにひっくり返ることを防止したペット用枕が提案されている。
【０００４】
他方、特開２００７−０７０５３５号公報（特許文献３）においては、犬などの四足動物の四足が萎えた場合に、休息、排泄などの生活活動が可能な動物用介護ベッドとリハビリ訓練用具を兼ねる動物介護用ベッドが提案されている。
【０００５】
この特許文献３に記載の動物介護用ベッドは、四足動物（以下、動物と略称）が跨って身を預けることができるベッド本体と、高さ調整可能なベッド脚部と、動物のベッドからのズレ落ちを防止する保護部と、その結束具と、ベッド本体や保護部の開口部、さらにベッド脚部にも開口部を有し、かつ取り外し自在な排泄物回収具を有するものである。
【０００６】
さらに、実用新案登録第３１４１８３６号公報（特許文献４）には、犬や猫あるいはフェレットなどの四足動物（以下、動物という。）が、疾病や老衰などで自立立位や自立歩行がしづらい場合に、動物を容易に乗せられ、かつ動物の体のどの部位も拘束することなく、長時間安全に楽な姿勢を保ったまま、休息や歩行ができることにより、二次的疾病疾患を防ぎ、かつ介護者の負担を軽減することができる四足動物介護用移動式ベッドが提案されている。
【０００７】
具体的には、犬や猫あるいはフェレットなどの四足動物が、
四足をグランドに着地して自身の力で歩行できる程度にして、体を跨って預けることができるベッド本体は、所定巾を持ち、かつ進行方向に大きさが調節可能なメインフレームと、
その上部にマットを有し、
前記マットは防水性と柔軟性に優れた外皮からなり、その中には弾性部材が充填され、前記マットの大きさは所定巾を持ち、長さは動物の口元から股下の部分までで、動物の症状や体型に応じて、少なくとも胴部がマットの上に固定され、
ベッド脚部は、高さが調節可能で、しかも前輪は、方向転換可能な車軸に固定された転動可能な車輪が取り付けられたもの
である。
【先行技術文献】
【特許文献】
【０００８】
【特許文献１】特許第３９８３７６９号公報（請求項１，図２）
【特許文献２】実用新案登録第３１３２４２６号公報（請求項１，図３（ａ）および    （ｂ））
【特許文献３】特開２００７−０７０５３５号公報（請求項１，図３）
【特許文献４】実用新案登録第３１４１８３６号公報（請求項１，図１）
【発明の概要】
【発明が解決しようとする課題】
【０００９】
前記特許文献１に記載のペット用マットは、クッション材が充填されたマットの中央部を左右に二分割し、分割部にＶ字状の保持を構成し、当該Ｖ字状部にペットの重みが作用すると、前記分割部を中心に左右のマット部材の端縁部が持ち上がり、ペットの両側部を支えるようにしているので、寝たきりのペット専用で、自力で歩行が可能な余力を有するペットには利用できず、可搬性がないので、持ち運びが不自由なものである。
【００１０】
前記特許文献２に記載のペット用枕は、ペットがリラックスした状態で安心してあごを含む頭部を預かられることを目的としたもので、老齢の、あるいは怪我などしているペットを、視界を保持しながら休息状態を保持させ、もしくは歩行活動などをさせること目的としたものではない。
【００１１】
前記特許文献３に記載の動物介護用ベッドは、ベッド本体内にペットを収容する構成が採用されているので、ペットは前記ベッド本体内での歩行しかすることができず、自由を大幅に規制されているので、ストレスがペットに作用し易く、体調を崩させる大きな要因を内在している。
【００１２】
前記特許文献４に記載の四足動物介護用移動式ベッドは、前後の脚がサイドフレームで規制されるので、ペットの自由が大幅に奪われるとともに、ペットの胴部は前記サイドフレームの上部に顕出するので、自力歩行の困難なペットは姿勢が安定せず、ペットに大きなストレスを与える危険性を有するので、老齢化したペットや何らかの理由で歩行が困難なペットには不向きなものである。
【００１３】
この発明はかかる現状に鑑み、ペットの視覚を十分に確保した状態で、頭部を含む体全体を安定した状態で保持してペットをリラックスさせることができ、局所的な圧迫感をなくし、伏臥状態のペットが不用意に保持台からズレ落ちることを防止することのできるペット用姿勢保持台の提供を目的とするものである。
【課題を解決するための手段】
【００１４】
前記目的を達成するため、この発明のペット用姿勢保持台は、
ペットの胴部が載置可能な胴部載置部と、前記胴部載置部の前方に配置される頭部載置部と、前記胴部載置部の後方に配置される臀部載置部とで姿勢保持主体が構成され、
前記胴部載置部は、
左右の端部に、それぞれ側壁を形成して、伏臥状態のペットの胴部が位置ズレすることを防止するストッパがそれぞれ分離可能に配置されていること
を特徴とするものである。
【００１５】
この発明の請求項２に記載の発明は、
請求項１に記載のペット用姿勢保持台において、
前記側壁は、
その頂部が前記頭部載置部の頂部よりも高くなるよう形成されていること
を特徴とするものである。
【００１６】
この発明の請求項３に記載の発明は、
請求項１又は２に記載のペット用姿勢保持台において、
前記側壁は、
前記胴部載置部の左右の端部に、左右方向に突出するよう形成されていること
を特徴とするものである。
【００１７】
この発明の請求項４に記載の発明は、
請求項１〜３のいずれかに記載のペット用姿勢保持台において、
前記姿勢保持主体は、
前記頭部載置部、胴部載置部および臀部載置部が一体的に形成されており、
前記ストッパは、
雌雄の面ファスナによって一体化させるものであること
を特徴とするものである。
【００１８】
この発明の請求項５に記載の発明は、
請求項１〜４のいずれかに記載のペット用姿勢保持台において、
前記姿勢保持主体は、
その頭部載置部が、ペットの頭部を胴部より上方に位置するよう構成されていること
を特徴とするものである。
【００１９】
この発明の請求項６に記載の発明は、
請求項１〜５のいずれかに記載のペット用姿勢保持台において、
前記頭部載置部、胴部載置部および臀部載置部は、
弾性を有する合成樹脂材および／または内部にビーズが充填された袋状のカバー主体かを特徴とするものである。
【００２０】
この発明の請求項７に記載の発明は、
請求項１〜３又は５のいずれかに記載のペット用姿勢保持台において、
前記姿勢保持主体は、
前後および／または左右の方向に可動自在であること
を特徴とするものである。
【００２１】
この発明の請求項８に記載の発明は、
請求項１〜３、５又は７のいずれかに記載のペット用姿勢保持台において、
前記姿勢保持主体は、
高さ調整が可能に構成されていること
を特徴とするものである。
【００２２】
この発明の請求項９に記載の発明は、
胴部が左右に位置ズレすることを防止するストッパが設けられた胴部載置部と、前記胴部載置部の前部側に配置される頭部載置部と、前記胴部載置部の後部側に配置される臀部配置部とで構成された姿勢保持主体と、
前記姿勢保持主体に着脱自在のカバー部材と、
前記姿勢保持主体を保持する受け部材とからなり、
前記ストッパは、前記胴部載置部の左右の端部に、それぞれ側壁を分離可能に形成することによって、構成されていること
を特徴とするペット用姿勢保持台である。
【００２３】
この発明の請求項１０に記載の発明は、
請求項１〜９のいずれかに記載のペット用姿勢保持台において、
前記姿勢保持主体は、
洗濯可能な取替えカバー部材で被覆されていること
を特徴とするものである。
【００２４】
この発明の請求項１１に記載の発明は、
請求項９に記載のペット用姿勢保持台において、
前記受け部材は、
高さ調節機能を有するものであること
を特徴とするものである。
【発明の効果】
【００２５】
この発明にかかるペット用姿勢保持台は、胴部が載置可能な胴部載置部と、この胴部載置部の前部側に配置される頭部載置部と、前記胴部載置部の後部側に配置される臀部載置部とで姿勢保持主体を構成し、前記胴部載置部の左右の端部に、それぞれ胴部が位置ズレすることを防止するストッパを配置しているので、ペットを前記姿勢保持主体上に体全体を腹這い状態で載せることができ、載せられたペットには局部的な圧迫感を与えることがないので、ペットがリラックス状態で休息や睡眠を取ることができる。
【００２６】
特に、この発明のペット用姿勢保持台は、前記胴部載置部の左右の端部に、それぞれ胴部が位置ズレすることを防止するストッパを配置しているので、休息や睡眠時において、ペットが姿勢保持主体からズレ落ちる危険性がない。
【００２７】
さらに、前記頭部載置部によって安定した状態で頭部を保持できるので、ペットは飼い主や周囲に対し視線を自由に向けることができるので、食べ物が視界に入れば欲しがり、興味の対象になるものが出現すれば、視線を自在に移動させることができるなど、老齢化した、あるいは傷病中のペット自体に活力を与えることができる。
【００２８】
さらにまた、前記姿勢保持主体は、洗濯可能なカバー部材で被覆されているので、汚損された場合、直ちに新しいカバー部材に取り替えることによって、ペット用姿勢保持台を常に清潔な状態で維持することができ、室内に不快な臭気が立つことを防止することができる。
【図面の簡単な説明】
【００２９】
【図１】この発明にかかるペット用姿勢保持台の一例を示す斜視図である。
【図２】図１に示すペット用姿勢保持台の一部を切欠いた分解斜視図である。
【図３】図１に示すペット用姿勢保持台の使用状態の一例を示す側面図である。
【図４】この発明にかかるペット用姿勢保持台を構成する姿勢保持主体の他の例を示    す斜視図である。
【図５】図４に示すペット用姿勢保持台の使用状態を示す側面図である。
【図６】図４に示すペット用姿勢保持台の使用状態の他の例を示す側面図である。
【図７】この発明にかかるペット用姿勢保持台の他の例を示す分解斜視図である。
【図８】図７に示すペット用姿勢保持台の斜視図である。
【発明を実施するための形態】
【００３０】
以下、この発明にかかるペット用姿勢保持台の実施例を、添付の図面に基づいて具体的に説明する。
なお、この発明は、以下の実施例にのみ限定されるものではなく、この発明の要旨を変更しない範囲内で種々変更を加えることができるものである。
【００３１】
この発明のペット用姿勢保持台１は、図１に示すように、ペット（実施例においては犬）の胴部を載置する、横長でかつ前後方向に所要の幅を有する胴部載置部２の、前部側に頭部載置部３を、後部側に臀部載置部４を同一線上にそれぞれ位置させて、一体的に形成して姿勢保持主体１ａとしたものである。
なお、図中、符号７は、姿勢保持主体１ａの受け部材を示す。
【００３２】
前記ペット用姿勢保持台１は、弾性を有するウレタンフォームなどからなる合成樹脂製材もしくは配置する場所の形状に合わせて形成された布製のカバー主体内に、ビーズなどを充填して構成したものである。
【００３３】
前記胴部載置部２は、左右の端部に、ペットの胴部が所定の範囲から位置ズレすることを防止するための左右一対のストッパ２ａ，２ｂが、それぞれ上方に向けて設けられている。
この実施例においては、横長でかつ前後方向に所要の幅を有するクッション材の上面部を、全体が凹状の円弧となるよう形成して、各端部にそれぞれ側壁を形成してストッパ２ａ，２ｂとしている。
【００３４】
前記頭部載置部３は、図１で明らかなように、前記胴部載置部２から上方に緩やかな傾斜面３ａを形成し、その先端部３ｂを水平ないし緩やかな山状の円弧としたもので、ペットの頭部が安定して保持できるよう構成されている。
なお、この頭部載置台３には、脚部の長いペット用が使用する場合、図３に示すように別途アゴ載せ台１０を用いてもよい。
【００３５】
前記臀部載置部４は、ペットの排泄器官が直接接触しない程度の長さとすることが好ましいが、後述するカバー部材９を適宜使用することによって、排泄物などによる汚損を回避することができる。
【００３６】
かかるペット用姿勢保持台１は、少なくとも前後方向への移動を可能とするため、台車５を有することが好ましい。
この実施例においては、前記台車５を平面がＨ状形状とし、前後の脚部の左右端部にそれぞれ３６０°回転自在なキャスタ６（６ａ，６ｂ，６ｃ，６ｄ）を装着したもので、ペット用姿勢保持台１に載ったペットの意思又は飼い主によって、前後左右のいずれの方向にも移動させることを可能としている。
【００３７】
かかる台車５は、前記受け部材７を介して前記ペット用姿勢保持台１の下面に装着されるものである。
すなわち、前記受け部材７は、当該ペット用姿勢保持台１の底面よりやや大きな形状を有するもので、図２に示すように、上面側に前記姿勢保持部材１ａを受け入れるための受け入れ部が、下面側には高さ調節用マット８を介して前記台車５を装着するための装着部を有するものである。
したがって、下面側に装着させる高さ調節用マット８の厚みを適宜変更することで、前記ペット用姿勢保持台１の高さを、ペットの脚部の長さなどに応じて自在に変えることができる。
【００３８】
かかる構成のペット用姿勢保持台１は、使用による汚染に対応するため、カバー部材９が使用される。
この実施例においては、前記カバー部材９は、図２に示すように、前記ペット用姿勢保持台１の表面全体を常時覆うための、非塩ビレザーからなる表面カバー９ａと、この表面カバー９ａの表面を覆う吸水および吸臭機能を有する、例えば、ポリエステル不織布からなる替えカバー９ｂとで構成されている。
その際、前記表面カバー９ａを吸水および吸臭機能を有するもの、より好ましくは、吸収された尿などを通さない素材で構成することによって、前記替えカバー９ｂを省略することができる。
なお、前記カバー部材９は、姿勢保持主体１ａに確実に保持させるため、表面カバー９ａの外周部に面ファスナの一方を、替えカバー９ｂの前記面ファスナと相対する部位に他方の面ファスナを設けることが好ましい。
【００３９】
かかる構成からなるペット用姿勢保持台１は、図３又は図５に示すようにペットＰをペット用姿勢保持台１上に腹這い状態で跨がせることによって、リラックスさせた状態で休息させることができる。
【００４０】
さらに、前記ペット用姿勢保持台１は、図３に示すように、頭部載置台３上にアゴ載せ台１０を載置することで、ペットＰを立った状態で休息させることができる。
【００４１】
図４は、この発明にかかる他のペット用姿勢保持台１１の例を示すもので、内部にビーズを充填して胴部載置部１２と頭部載置台１３と臀部載置部１４を一体的に連結した姿勢保持主体１ａと、ペットＰの胴部を保持する、内部にビーズが充填された左右一対のストッパ１２ａ，１２ｂとで構成したものである。
【００４２】
したがって、使用に際しては、前記胴部載置部１２、頭部載置台１３、臀部載置部１４および胴部支持部１２からなる姿勢保持主体１ａと、左右一対のストッパ１２ａ，１２ｂとを、例えば、雌雄の面ファスナＦを使用して、あるいは前記各部材を洗濯可能なカバー部材（図示せず）によって覆って一体化させ使用するものである。
このように構成部材を個々に分離することによって、収納や保管、さらには搬送などを容易に行うことができる。
【００４３】
なお、前記ペット用姿勢保持台１，１１は、いずれも前後の長さおよび／または高さと、左右の幅が異なる胴部支持部１２ａ，１２ｂを適宜選択して使用することによって、大きさの異なるペットに使用することができる。
【００４４】
かかるペット用姿勢保持台１，１１は、いずれも高さ調節用マット８の厚みを変更すること、具体的には、マット自体の厚みを変更するか、複数枚のマットを積層することによって、ペットＰの体系に合わせて変更することができる。
したがって、図５に示すように、ペット用姿勢保持台１，１１の高さ自体を調節し、胴部が跨った状態で載せることによって、ペットＰを睡眠ないし休息させることもできる。
さらに、図６に示すように、ペット用姿勢保持台１，１１の高さを調節して、ペットＰが跨った状態で、歩行可能にすることもできる。
【００４５】
図７に示すペット用姿勢保持台２１は、室内の一定の場所に常置されるもので、前記図２と共通する部位を同一符合で表す。
この図７に示される受け部材７は、上面に姿勢保持主体１ａを受け入れるための受け入れ部を有し、使用に際しては、前記受け入れ部に高さ調節用マット８を装着したのち、前記姿勢保持主体１ａの底部を受け入れるものである。
したがって、前記高さ調節用マット８の厚みを変えることで、全体の高さを調節することができる。
【００４６】
前記受け部材７は、図７で明らかなように、周縁外周面に面ファスナＦの一方が設けられるとともに、当該面ファスナＦと係合する他方の面ファスナＦが、前記姿勢保持主体１ａの底部内周面に設けられているので、前記相対する面ファスナＦ，Ｆ同士を係合させることによって、前記高さ調整用マット８を保持するよう構成されている。
なお、図２に示す実施例も同様の構成を有しているものである。
【００４７】
図８に示すペット用姿勢保持台２１は、図２に示すペット用姿勢保持台１と同様の構成を有するものであるが、高さ調節用マット８は、受け部材７の上面側に装着される点で、図２に示される受け部材７と構成が異なっているもので、このペット用姿勢保持台２１は一定の場所に固定して使用される。
なお、図８に示すペット用姿勢保持台２１も、ペットＰをペット用姿勢保持台２１上に腹這い状態で跨がせることによって、リラックスさせた状態を保持させることができる。
【産業上の利用可能性】
【００４８】
この発明のペット用姿勢保持台は、犬以外であっても四足を有する動物であれば、利用することができるので、多くの愛玩動物に適用することができる。
【符号の説明】
【００４９】
１，１１，２１    ペット用姿勢保持台
２，１２          胴部載置部
３，１３          頭部載置部
４                臀部載置部
５                台車
６                キャスタ
７                受け部材
８                高さ調節用マット
９                カバー部材
９ａ              表面カバー
９ｂ              替えカバー
１０                アゴ載せ台
Ｐ                ペット
【図１】
2018121656.tif 000003
【図２】
2018121656.tif 000004
【図３】
2018121656.tif 000005
【図４】
2018121656.tif 000006
【図５】
2018121656.tif 000007
【図６】
2018121656.tif 000008
【図７】
2018121656.tif 000009
【図８】
2018121656.tif 000010